(57)【要約】【課題】本発明はケーブルの位置決めができ、確実な半田付けができるコンタクト及びコネクタを提供する。【解決手段】本目的は相手コンタクトと接触する接触部２８、３４とケーブルが半田付けされる接続部３２、３８を有する２種類の交互に１列に配列される第１及び第２コンタクト１４、１６とコンタクト１４、１６が配列・保持されるとともに相手コネクタが入る嵌合口２０を有するハウジング１２を備え、第１及び第２コンタクトの接続部が厚み方向に上下に振り分けられているコネクタ１０において、コンタクト１４、１６の接続部３２、３８に、配列方向の一方側に突出するケーブル６０の芯線が半田付けされる接続片２２を設け、第２コンタクト１６のみに接続片２２と同一方向で、かつ、接続片２２と垂直なストッパー片２４を設けることにより達成できる。【選択図】  図１
2011044309.tif 000002
【特許請求の範囲】
【請求項１】
０．４〜０．６ｍｍピッチで配列されるコンタクトであって、
相手コンタクトと接触する接触部とケーブルが半田付けされる接続部を有するコンタクトにおいて、
前記コンタクトの接続部に、配列方向の一方側に突出する前記ケーブルの芯線が半田付けされる接続片を設け、
前記接続片と同一方向で、かつ、前記接続片と垂直なストッパー片を設けることを特徴とするコンタクト。
【請求項２】
０．４〜０．６ｍｍピッチで２種類のコンタクトが交互に１列に配列されるコネクタであって、相手コンタクトと接触する接触部とケーブルが半田付けされる接続部を有する２種類の交互に１列に配列される第１及び第２コンタクトと該第１及び第２コンタクトが配列・保持されるとともに相手コネクタが入る嵌合口を有するハウジングを備え、前記第１及び第２コンタクトの接続部が厚み方向に上下に振り分けられているコネクタにおいて、
前記第１及び第２コンタクトの接続部に、配列方向の一方側に突出する前記ケーブルの芯線が半田付けされる接続片を設け、
前記第２コンタクトのみに前記接続片と同一方向で、かつ、前記接続片と垂直なストッパー片を設けることを特徴とするコネクタ。
【請求項３】
前記ハウジングと一体若しくは別体に、隣接する前記コンタクトとの間に突出する複数の突出壁を有する絶縁体を前記ハウジングの嵌合口と反対側に備えることを特徴とする請求項２記載のコネクタ。
【請求項４】
前記突出壁の高さを０．２〜０．４ｍｍにすることを特徴とする請求項３記載のコネクタ。
【請求項５】
前記接続片と前記ストッパー片と前記突出壁とで、前記ケーブルの芯線が入る空間を確保することを特徴とする請求項３または４記載のコネクタ。
【発明の詳細な説明】
【技術分野】
【０００１】
本発明は、デジタルビデオカメラや携帯音楽機器等の電気機器や電子機器に使用されるコネクタ及び該コネクタに使用するコンタクトの接続構造に関するもので、特に、０．４〜０．６ｍｍに配列されたコンタクトに半田付けするための接続構造に関するものである。
【背景技術】
【０００２】
コネクタは、一般的に、少なくとも金属製の複数のコンタクトと該コンタクトが配列・保持される絶縁物であるハウジングを備えている。前記ハウジングには相手コネクタが入る嵌合口が設けられている。前記コンタクトは、相手コネクタのコンタクトと接触する接触部と前記ハウジングに保持される固定部とケーブルが半田付けされる接続部を有している。
特許文献として、本出願人が既に提案した特許文献１（特開２００８−２１８１４４）や特許文献２（特願２００３−１０９７０１）を示す。
【先行技術文献】
【特許文献】
【０００３】
【特許文献１】特開２００８−２１８１４４の要約によると、２分割されたシェル１６、１６同士を強固に保持でき、確実な導通を図ることができ、ケーブル４０とシェル１６との間、及びシェル１６、１６同士のアースを取ることができる電気コネクタを提供することを目的とし、ケーブル４０に接続する複数のコンタクト１４とコンタクト１４が保持・配列されるハウジング１２とハウジング１２を覆うとともにケーブル４０を保持する保持手段を有する２分割のシェル１６、１６とシェル１６、１６を被服する絶縁部材２０とを備える電気コネクタ１０において、一方のシェル１６に係止部４２を設け、もう一方のシェル１６に係合部４４を設け、両方のシェル１６、１６を嵌め合わせた際に係止部４２と係合部４４が係合することにより両方のシェル１６、１６が導通するにより達成できる構造の電気コネクタが開示されている。  ちなみに、特開２００８−２１８１４４の特許請求の範囲には、請求項１として、ケーブルに接続する複数のコンタクトと該コンタクトが保持・配列されるハウジングと該ハウジングを覆うとともに前記ケーブルを保持する保持手段を有する２分割のシェルと前記シェルを被服する絶縁部材とを備える電気コネクタにおいて、  一方の前記シェルに係止部を設け、もう一方の前記シェルに係合部を設け、両方の前記シェルを嵌め合わせた際に前記係止部と前記係合部が係合することにより両方の前記シェルが導通することを特徴とする電気コネクタ、請求項２として、一方の前記シェルの係止部を係止溝にし、もう一方の前記シェルの係合部を係合突起にし、前記係合突起を前記係止溝に差し込むことにより両方の前記シェルが導通することを特徴とする請求項１記載の電気コネクタ、請求項３として、どちらか一方の前記シェルに係止孔を設け、他方の前記シェルに係合片を設け、両方の前記シェルを嵌め合わせた際に前記係止孔と前記係合片が係合することにより両方の前記シェルが導通することを特徴とする請求項１または２記載の電気コネクタ、請求項４として、相手コネクタとロックするロック手段を備えることを特徴とする請求項１から３項のうちいずれか１項記載の電気コネクタ等が開示されている。
【特許文献２】特開２００３−１０９７０１の要約によると、導電体の接続時に半田付けや溶着等の熱で、ブロック１２が変形することなく、接続不良や絶縁不良が発生することがなく、コストアップにもならないコネクタ１０を提供することを目的とし、所要数のコンタクトと、該コンタクトが保持・固定されたブロック１２とからなるコネクタ１０において、前記コンタクトの導電体接続側に耐熱性のある電気絶縁物の該板状片１８をブロック１２に固着することにより達成でき、板状片１８の厚み方向でコンタクトの配置側に所定間隔で凹部２０を設ける構造のコネクタが開示されている。  ちなみに、特開２００３−１０９７０１の特許請求の範囲には、請求項１として、所要数のコンタクトと、該コンタクトが保持・固定されたブロックとからなるコネクタにおいて、前記コンタクトの導電体接続側に耐熱性のある電気絶縁物の板状片をブロックに固着したことを特徴とするコネクタ、請求項２として、前記板状片の厚み方向で前記コンタクトの配置側に所定間隔で凹部を設けたことを特徴とする請求項１記載のコネクタ、請求項３として、耐熱性の相違する前記板状片と前記ブロックとを一体構造にしたことを特徴とする請求項１乃至２記載のコネクタ、請求項４として、前記板状片をセラミックスにしたことを特徴とする請求項３記載のコネクタ、請求項５として、耐熱性の相違する前記板状片と前記ブロックとを一体成形又は後付けにより一体にしたことを特徴とする請求項３記載のコネクタ等が開示されている。
【発明の概要】
【発明が解決しようとする課題】
【０００４】
近年、電気機器や電子機器の小型化に伴い、コネクタの小型化要求も強くなり、最近、０．４〜０．６ｍｍピッチの要求が出てきている。
従来の構造のコネクタでは、０．４〜０．６ｍｍピッチの場合に、正規の位置で、確実に半田付けをすることが出来ないと言った課題があった。
特許文献１では、ケーブルの芯線をコンタクトの折曲げ部分に乗せることは出来るが芯線の位置決め（特に、奥行き方向）をすることが出来ないし、また、コンタクトを挿入する孔が上下で千鳥に配列されているため０．４〜０．６ｍｍのピッチにすることが出来なかった。
特許文献２では、ケーブルの芯線をコンタクトの平面上に乗せることは出来るが芯線の位置決め（特に、奥行き方向）をすることが出来なかった。
【０００５】
本発明は、このような従来の問題点に鑑みてなされたもので、ケーブルの芯線の位置決め（特に、奥行き方向）ができ、かつ、確実な半田付けができるコンタクトの接続構造及びコネクタを提供せんとするものである。
【課題を解決するための手段】
【０００６】
本目的は、請求項１記載のコンタクトのように、０．４〜０．６ｍｍピッチで配列されるコンタクトであって、相手コンタクトと接触する接触部とケーブルが半田付けされる接続部を有するコンタクトにおいて、前記コンタクトの接続部に、配列方向の一方側に突出する前記ケーブルの芯線が半田付けされる接続片を設け、前記接続片と同一方向で、かつ、前記接続片と垂直なストッパー片を設けることを特徴とするコンタクトにより達成できる。
【０００７】
本目的は、請求項２記載のコネクタのように、０．４〜０．６ｍｍピッチで２種類のコンタクトが交互に１列に配列されるコネクタであって、相手コンタクトと接触する接触部とケーブルが半田付けされる接続部を有する２種類の交互に１列に配列される第１及び第２コンタクトと該第１及び第２コンタクトが配列・保持されるとともに相手コネクタが入る嵌合口を有するハウジングを備え、前記第１及び第２コンタクトの接続部が厚み方向に上下に振り分けられているコネクタにおいて、前記第１及び第２コンタクトの接続部に、配列方向の一方側に突出する前記ケーブルの芯線が半田付けされる接続片を設け、前記第２コンタクトのみに前記接続片と同一方向で、かつ、前記接続片と垂直なストッパー片を設けることを特徴とするコネクタにより達成できる。
【０００８】
請求項３記載のコネクタは、前記ハウジングと一体若しくは別体に、隣接する前記コンタクトとの間に突出する複数の突出壁を有する絶縁体を前記ハウジングの嵌合口と反対側に備えることを特徴とする請求項２記載のコネクタにある。
また、請求項４記載のコネクタは、前記突出壁の高さを０．４〜０．６ｍｍにすることを特徴とする請求項３記載のコネクタにある。
さらに、請求項５記載のコネクタは、前記接続片と前記ストッパー片と前記突出壁とで、前記ケーブルの芯線が入る空間を確保することを特徴とする請求項３または４記載のコネクタにある。
【発明の効果】
【０００９】
以上の説明から明らかなように、本発明のコンタクトの接続構造及びコネクタによると、次のような優れた効果が得られる。
（１）請求項１記載のコンタクトのように、０．４〜０．６ｍｍピッチで配列されるコンタクトであって、相手コンタクトと接触する接触部とケーブルが半田付けされる接続部を有するコンタクトにおいて、前記コンタクトの接続部に、配列方向の一方側に突出する前記ケーブルの芯線が半田付けされる接続片を設け、前記接続片と同一方向で、かつ、前記接続片と垂直なストッパー片を設けることを特徴とするコンタクトにしているので、０．４〜０．６ｍｍのピッチでも、ケーブルの芯線の位置決めができ、確実な半田付けができ、安定した接続を得ることができる。
（２）請求項２記載のコネクタのように、０．４〜０．６ｍｍピッチで２種類のコンタクトが交互に１列に配列されるコネクタであって、相手コンタクトと接触する接触部とケーブルが半田付けされる接続部を有する２種類の交互に１列に配列される第１及び第２コンタクトと該第１及び第２コンタクトが配列・保持されるとともに相手コネクタが入る嵌合口を有するハウジングを備え、前記第１及び第２コンタクトの接続部が厚み方向に上下に振り分けられているコネクタにおいて、前記第１及び第２コンタクトの接続部に、配列方向の一方側に突出する前記ケーブルの芯線が半田付けされる接続片を設け、前記第２コンタクトのみに前記接続片と同一方向で、かつ、前記接続片と垂直なストッパー片を設けることを特徴とするコネクタにしているので、０．４〜０．６ｍｍのピッチでも、ケーブルの芯線の位置決めができ、確実な半田付けができ、安定した接続を得ることができる。
（３）請求項３記載のコネクタは、前記ハウジングと一体若しくは別体に、隣接する前記コンタクトとの間に突出する複数の突出壁を有する絶縁体を前記ハウジングの嵌合口と反対側に備えることを特徴とする請求項２記載のコネクタにしているので、０．４〜０．６ｍｍのピッチでも、ケーブルの芯線の位置決めができ、確実な半田付けができ、安定した接続を得ることができ、狭ピッチでも隣接コンタクト間でショート等の接続不良が発生し難い。
（４）請求項４記載のコネクタは、前記突出壁の高さを０．２〜０．４ｍｍにすることを特徴とする請求項３記載のコネクタにしているので、０．４〜０．６ｍｍのピッチでも、ケーブルの芯線の位置決めができ、確実な半田付けができ、安定した接続を得ることができ、狭ピッチでも隣接コンタクト間でショート等の接続不良のより確実に防止できる。
（５）請求項５記載のコネクタは、前記接続片と前記ストッパー片と前記突出壁とで、前記ケーブルの芯線が入る空間を確保することを特徴とする請求項３または４記載のコネクタにしているので、０．４〜０．６ｍｍのピッチでも、ケーブルの芯線の位置決めができ、確実な半田付けができ、安定した接続を得ることができ、狭ピッチでも隣接コンタクト間でショート等の接続不良のより確実に防止できる。
【図面の簡単な説明】
【００１０】
【図１】（Ａ）本発明のコネクタを嵌合口方向からみた斜視図である。（Ｂ）本発明のコネクタを接続方向からみた斜視図である。（Ｃ）本発明のコネクタにケーブルが保持された状態を、接続方向からみた斜視図である。（Ｄ）（Ｃ）の状態の電気コネクタをあるコンタクト部分で断面した断面図である。
【図２】（Ａ）  第１コンタクトを接続方向からみた斜視図である。（Ｂ）  第２コンタクトを接続方向からみた斜視図である。
【図３】（Ａ）  ハウジングを嵌合方向からみた斜視図である。（Ｂ）  ハウジングを接続方向からみた斜視図である。（C）  あるコンタクト挿入孔部分で断面した断面図である。
【図４】絶縁体の斜視図である。
【図５】シェルの斜視図である。
【図６】（Ａ）  本発明のコネクタをある第１コンタクト部分で断面した断面図である。（Ｂ）  本発明のコネクタをある第２コンタクト部分で断面した断面図である。
【発明を実施するための最良の形態】
【００１１】
本発明の特徴は、請求項１記載のコンタクト１４、１６のように、０．４〜０．６ｍｍピッチで配列されるコンタクト１４、１６であって、相手コンタクトと接触する接触部２８、３４とケーブル６０が半田付けされる接続部３２、３８を有するコンタクト１４、１６において、前記コンタクト１４、１６の接続部３２、３８に、配列方向の一方側に突出する前記ケーブル６０の芯線が半田付けされる接続片２２を設け、前記接続片２２と同一方向で、かつ、前記接続片２２と垂直なストッパー片２４を設けることを特徴とするコンタクト１４、１６であり、また、請求項２記載のコネクタ１０のように、０．４〜０．６ｍｍピッチで２種類のコンタクト１４、１６が交互に１列に配列されるコネクタ１０であって、相手コンタクトと接触する接触部２８、３４とケーブル６０が半田付けされる接続部３２、３８を有する２種類の交互に１列に配列される第１及び第２コンタクト１４、１６と該第１及び第２コンタクト１４、１６が配列・保持されるとともに相手コネクタが入る嵌合口２０を有するハウジング１２を備え、前記第１及び第２コンタクトの接続部が厚み方向に上下に振り分けられているコネクタ１０において、前記第１及び第２コンタクト１４、１６の接続部３２、３８に、配列方向の一方側に突出する前記ケーブル６０の芯線が半田付けされる接続片２２を設け、前記第２コンタクト１６のみに前記接続片２２と同一方向で、かつ、前記接続片２２と垂直なストッパー片２４を設けることを特徴とするコネクタ１０である。
つまり、２種類の交互に１列に配列される前記第１及び第２コンタクト１４、１６の接続部３２、３８に、配列方向の一方側に突出する前記ケーブル６０の芯線が半田付けされる接続片２２を設け、前記第２コンタクト１６のみに前記接続片２２と同一方向で、かつ、前記接続片２２と垂直なストッパー片２４を設け、０．４〜０．６ｍｍピッチでも確実な位置決めと半田付けを可能にしたものである。
【００１２】
図に基づいて、本発明のコネクタの一実施例を説明する。図１（Ａ）は本発明のコネクタを嵌合口方向からみた斜視図であり、（Ｂ）は本発明のコネクタを接続方向からみた斜視図であり、（Ｃ）は本発明のコネクタを接続方向からみた平面図である。図２（Ａ）は第１コンタクトを接続方向からみた斜視図であり、（Ｂ）は第２コンタクトを接続方向からみた斜視図である。図３（Ａ）はハウジングを嵌合方向からみた斜視図であり、（Ｂ）はハウジングを接続方向からみた斜視図であり、（C）はあるコンタクト挿入孔部分で断面した断面図である。図４は絶縁体の斜視図であり、図５はシェルの斜視図である。図６（Ａ）は本発明のコネクタをある第１コンタクト部分で断面した断面図であり、（Ｂ）は本発明のコネクタをある第２コンタクト部分で断面した断面図である。
本発明のコネクタ１０は、少なくともハウジング１２と２種類のコンタクト（第１コンタクト１４、第２コンタクト１６）を備えている。
【００１３】
それぞれの部位について説明する前に、ケーブル６０について説明する。前記ケーブル６０は、導電性の芯線と該芯線を覆う被覆と撚られた状態の複数の被覆された芯線を覆う金属製の編組と該編組を覆う外皮を有している。
【００１４】
まず、最初に本発明のポイントであるコンタクトについて説明する。本発明のコネクタでは、２種類のコンタクト（第１コンタクト１４、第２コンタクト１６）を用いている。２種類のコンタクト（第１コンタクト１４、第２コンタクト１６）の材質としては、バネ性や導電性などが要求されるので、黄銅やベリリウム銅やリン青銅等を挙げることができる。２種類のコンタクト（第１コンタクト１４、第２コンタクト１６）は前記ハウジング１２の挿入孔４２に圧入や引っ掛け（ランス）や溶着等によって固定されている。本実施例では圧入によって固定されている。
【００１５】
前記第１コンタクト１４及び前記第２コンタクト１６は、略板状片をしており、前記第１コンタクトの第１接触部２８と前記第２コンタクト１６の第２接触部３４は交互に１列に配列されているが、前記第１コンタクトの第１接続部３２及び第２コンタクト１６の第２接続部３８は、厚み方向に上下に振り分けられている。つまり、各コンタクト１４、１６の接続部３２、３８を厚み方向に上下に振り分けることで、隣接ピッチ間の接続部間隔を広くしている。前記第１コンタクト１４及び前記第２コンタクト１６は、相手コンタクトと接触する接触部（第１接触部２８、第２接触部３４）と前記ハウジング１２に保持される固定部（第１固定部３０、第２固定部３６）と前記ケーブル６０の芯線が半田付けされる接続部（第１接続部３２、第２接続部３８）と該接続部から配列方向の一方側に突出する前記ケーブルの芯線が半田付けされる接続片２２と前記第２コンタクト１６のみに前記接続片２２と同一方向で、かつ、前記接続片２２と垂直なストッパー片２４とを有している。前記第１コンタクト１４の第１接触部２８と前記第２コンタクト１６の第２接触部３４が交互に厚み方向の一方側に１列に配列されているために、前記第１コンタクト１４の第１接続部３２の奥行き方向は絶縁体である前記ハウジング１２であるが、前記第２コンタクト１６の第２接続部３８の奥行き方向は前記第１接続部３２があるので、前記ケーブル６０を接続する際に、前記ケーブル６０と前記第１接続部３２とが接触しないように、前記第２コンタクト１６のみに前記ストッパー片２４を設けている。しかし、前記ストッパー片２４はこのような役割以外に、位置決めの役割も有している。
【００１６】
前記第１接触部２８及び前記第２接触部３４は、相手コンタクトと接触する部分であり、接触力やコネクタの小型化や加工方法等を考慮して適宜設計する。本実施例では、相手コンタクトと接触し易いように凸部形状にし、片持ち梁にしている。
【００１７】
前記第１固定部３０及び前記第２固定部３６は、前記ハウジング１２に保持される部分であり、保持力やコネクタの小型化や組立て方法等を考慮して適宜設計する。本実施例では、圧入しているが、保持できれば如何なる方法でもよい。
【００１８】
前記第１接続部３２及び前記第２接続部３８には、配列方向の一方側に突出する前記ケーブルの芯線が半田付けされる接続片２２が設けられ、さらに、前記第２コンタクト１６のみに前記接続片２２と同一方向で、かつ、前記接続片２２と垂直なストッパー片２４が設けられている。前記接続片２２上に前記ケーブル６０の芯線を乗せ、かつ、前記ストッパー片２４に前記ケーブル６０の芯線を突き当てることで、位置決めと行い、半田付けを行っている。前記接続片２２を設けることで、前記ケーブル６０の芯線を乗せるエリアを確保し、前記ハウジング１２に前記コンタクト（第１コンタクト１４、第２コンタクト１６）を板厚に対して垂直に挿入する場合で、かつ、０．４〜０．６ｍｍピッチの場合でも確実な半田付けが可能になる。前記接続片２２の形状・大きさは、半田付けができればよいが、狭ピッチ化や加工性や強度等を考慮して適宜設計する。本実施例では０．４〜０．６ｍｍ程度突出させている。
【００１９】
前記ストッパー片２４は、前記ケーブル６０の芯線を突き当てることで前記ケーブル６０の奥行き方向の位置決めを行うものである。前記ストッパー片２４の形状・大きさは、奥行き方向の位置決めが出来ればいが、狭ピッチ化や加工性や強度等を考慮して適宜設計する。前記ストッパー片２４は前記接続部（第１接続部３２、第２接続部３８）に連設したものでも、前記接続片２２に連設したものでもよい。前記ストッパー片２４を前記第２コンタクト１６のみに設けたのは、前記ケーブル６０との半田付け時に前記ケーブル６０が前記第１コンタクト１４に接触しないようにするためである。しかし、位置決めを考えるとコンタクト全てに設けることが望ましい。
【００２０】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２は、本体部１９と突出部２１を有しており、前記本体部１９には、複数の前記第１コンタクト１４と前記第２コンタクト１６が装着される挿入孔４２が設けられており、圧入や引っ掛け（ランス）や溶着等によって固定されている。
【００２１】
前記ハウジング１２の本体部１９には、相手コネクタが挿入される嵌合口２０が設けられている。前記嵌合口２０の形状・大きさは、相手コネクタが嵌合できればよく、相手コネクタの形状・大きさに沿うように適宜設計する。
また、前記ハウジング１２の接続部側（嵌合口２０の反対側）には、前記本体部１９から突出した突出部２１が設けられ、該突出部２１には前記絶縁体１８が入る凹部２７が設けられている。前記凹部２７の形状・大きさは、前記絶縁体１８が入ればよく、保持力や加工性等を考慮して適宜設計する。
【００２２】
次に、絶縁体１８について説明する。この絶縁体１８は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記絶縁体１８は、略板状をしており、本体４０と突出壁２６を有している。前記絶縁体１８の突出壁２６と前記コンタクト（第１コンタクト１４、第２コンタクト１６）の接続片２２とストッパー片２４とで、前記ケーブル６０の芯線の入る空間を形成しており、前記突出壁２６は各コンタクト（第１コンタクト１４、第２コンタクト１６）間の絶縁と前記ケーブル６０の転び防止をするためのものである。
【００２３】
前記突出壁２６の形状・大きさは、上記役割や強度や狭ピッチ化や加工性等を考慮して適宜設計している。前記突出壁２６は０．２〜０．４ｍｍ突出させることが望ましい。０．２ｍｍ以下では絶縁にならなく、０．４ｍｍ以上では加工し難い。本実施例では、０．３ｍｍ突出させている。
【００２４】
次に、シェル１７について説明する。前記シェル１７は金属製であり、公知技術のプレス加工によって製作され、この材質としては、バネ性や導電性などが要求されるので、黄銅やベリリウム銅やリン青銅等を挙げることができる。前記シェル１７は前記ハウジング１２に圧入や引っ掛け（ランス）等によって固定されている。本実施例では引っ掛け（ランス）によって固定されている。前記シェル１７は箱型形状をしており、前記シェル１７は前記ハウジング１２を覆っているため嵌合口側は前記ハウジング１２に沿うようにしている。前記シェル１７の形状・大きさは、前記ハウジング１２の形状・大きさに沿うようになっており、強度や加工性やコネクタの小型化等を考慮して適宜設計している。嵌合口の反対側には、前記ハウジング１２に固定するためのランス４４が設けられている。前記ランス４４の形状・大きさは、前記ハウジング１２に固定できればよく、如何なるものでもよいが、保持力やコネクタの小型化や強度や加工性等を考慮して適宜設計する。
【産業上の利用可能性】
【００２５】
本発明の活用例としては、デジタルビデオカメラや携帯音楽機器等の電気機器や電子機器に使用されるコネクタに活用され、特に、０．４〜０．６ｍｍに配列されたコンタクトに半田付けするための接続構造に関するものである。
【符号の説明】
【００２６】
１０      コネクタ
１２      ハウジング
１４      第１コンタクト
１６      第２コンタクト
１７      シェル
１８      絶縁体
１９      本体部
２０      嵌合口
２１      突出部
２２      接続片
２４      ストッパー片
２６      突出壁
２７      凹部
２８      第１接触部
３０      第１固定部
３２      第１接続部
３４      第２接触部
３６      第２固定部
３８      第２接続部
４０      本体
４２      挿入孔
４４      ランス
６０      ケーブル
【図１】
2011044309.tif 000003
【図２】
2011044309.tif 000004
【図３】
2011044309.tif 000005
【図４】
2011044309.tif 000006
【図５】
2011044309.tif 000007
【図６】
2011044309.tif 000008